(57)【特許請求の範囲】
【請求項１】
映像再生装置により再生させるための映像コンテンツを放送する映像放送方法をコンピュータに実行させる映像放送プログラムであって、
映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出手順と、
各映像コンテンツの再生時間と、映像コンテンツごとに前記チャンネル数算出手順により算出されたチャンネル数とに基づいて、同一の映像コンテンツを複数のチャンネルで放送する場合の放送開始時間の間隔を映像コンテンツごとに算出する放送開始間隔算出手順と、
各映像コンテンツについて、映像コンテンツを特定するコンテンツＩＤと、当該映像コンテンツに割り当てられたチャンネル数のチャンネル番号と、前記放送開始間隔算出手順によって算出された放送開始時間の間隔で前記チャンネル番号ごとに設定される放送開始時刻とを対応付けたチャンネル情報をそれぞれ設定するチャンネル情報設定手順と、
前記チャンネル情報設定手順によって設定されたチャンネル情報に従い、チャンネル番号ごとに設定された放送開始時刻で同一の映像コンテンツを放送する映像コンテンツ放送手順と、
映像コンテンツの視聴要求を受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を前記チャンネル情報設定手順により設定されたチャンネル情報の中から特定して、視聴要求元に通知するチャンネル番号通知手順と、
をコンピュータに実行させることを特徴とする映像放送プログラム。
【請求項２】
映像再生装置が映像コンテンツを受信するための準備時間を予め記憶する準備時間記憶手順をさらにコンピュータに実行させ、
前記チャンネル番号通知手順は、視聴要求が受け付けられた時刻に対して前記準備時間記憶手順によって記憶されている準備時間を加算した時刻以降に放送開始時刻が設定されているチャンネル番号を前記チャンネル情報設定手順により設定されたチャンネル情報の中から特定することを特徴とする請求項１に記載の映像放送プログラム。
【請求項３】
映像コンテンツごとに視聴要求を受け付けた視聴回数を計測する視聴回数計測手順をさらにコンピュータに実行させ、
前記チャンネル数算出手順は、チャンネル情報の変更要求を受け付けた場合に、前記視聴回数計測手順によって計測された視聴回数に基づいて映像コンテンツ各々の重要度を算出し、各重要度から重要度の総和を除算した値に前記チャンネル総数を積算して、映像コンテンツごとに割り当てるチャンネル数を改めて算出することを特徴とする請求項１または２に記載の映像放送プログラム。
【請求項４】
リアルタイムな放送の中で各映像コンテンツが放送された放送時刻をコンテンツＩＤに対応付けて記憶する放送時刻記憶手順と、
視聴者を特定するための視聴者ＩＤと、視聴者ＩＤが登録された時刻を示す登録時刻とを対応付けて記憶する視聴者ＩＤ記憶手順と、
登録要求とともに視聴者ＩＤを受け付けた場合に、視聴者ＩＤと、当該登録要求を受け付けた登録時刻とを前記視聴者ＩＤ記憶手順によって記憶されている情報に登録する視聴者ＩＤ登録手順と、
登録解除要求とともに視聴者ＩＤを受け付けた場合に、当該視聴者ＩＤに対応付けて前記視聴者ＩＤ記憶手順によって記憶されている登録時刻から、前記登録解除要求を受け付けた登録解除時刻の間にリアルタイムな放送の中で放送された映像コンテンツを前記放送時刻記憶手順によって記憶された放送時刻の中から特定する映像コンテンツ特定手順とをさらにコンピュータに実行させ、
前記チャンネル番号通知手順は、登録解除要求を受け付けた時刻以降に放送開始時刻が設定されているチャンネル番号を前記チャンネル情報設定手順により設定されたチャンネル情報の中から特定し、登録解除要求元に通知することを特徴とする請求項１〜３のいずれか１つに記載の映像放送プログラム。
【請求項５】
映像再生装置により再生させるための映像コンテンツを放送する映像放送方法であって、
映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出ステップと、
各映像コンテンツの再生時間と、映像コンテンツごとに前記チャンネル数算出ステップにより算出されたチャンネル数とに基づいて、同一の映像コンテンツを複数のチャンネルで放送する場合の放送開始時間の間隔を映像コンテンツごとに算出する放送開始間隔算出ステップと、
各映像コンテンツについて、映像コンテンツを特定するコンテンツＩＤと、当該映像コンテンツに割り当てられたチャンネル数のチャンネル番号と、前記放送開始間隔算出ステップによって算出された放送開始時間の間隔で前記チャンネル番号ごとに設定される放送開始時刻とを対応付けたチャンネル情報をそれぞれ設定するチャンネル情報設定ステップと、
前記チャンネル情報設定ステップによって設定されたチャンネル情報に従い、チャンネル番号ごとに設定された放送開始時刻で同一の映像コンテンツを放送する映像コンテンツ放送ステップと、
映像コンテンツの視聴要求を受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を前記チャンネル情報設定ステップにより設定されたチャンネル情報の中から特定して、視聴要求元に通知するチャンネル番号通知ステップと、
を含んだことを特徴とする映像放送方法。
【請求項６】
映像再生装置により再生させるための映像コンテンツを放送する映像放送装置であって、
映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出手段と、
各映像コンテンツの再生時間と、映像コンテンツごとに前記チャンネル数算出手段により算出されたチャンネル数とに基づいて、同一の映像コンテンツを複数のチャンネルで放送する場合の放送開始時間の間隔を映像コンテンツごとに算出する放送開始間隔算出手段と、
各映像コンテンツについて、映像コンテンツを特定するコンテンツＩＤと、当該映像コンテンツに割り当てられたチャンネル数のチャンネル番号と、前記放送開始間隔算出手段によって算出された放送開始時間の間隔で前記チャンネル番号ごとに設定される放送開始時刻とを対応付けたチャンネル情報をそれぞれ設定するチャンネル情報設定手段と、
前記チャンネル情報設定手段によって設定されたチャンネル情報に従い、チャンネル番号ごとに設定された放送開始時刻で同一の映像コンテンツを放送する映像コンテンツ放送手段と、
映像コンテンツの視聴要求を受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を前記チャンネル情報設定手段により設定されたチャンネル情報の中から特定して、視聴要求元に通知するチャンネル番号通知手段と、
を備えたことを特徴とする映像放送装置。
【請求項７】
受信した映像コンテンツを再生する映像再生装置と、当該映像再生装置に対して映像コンテンツを放送する映像放送装置とからなる映像放送システムであって、
前記映像放送装置は、
映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出手段と、
各映像コンテンツの再生時間と、映像コンテンツごとに前記チャンネル数算出手段により算出されたチャンネル数とに基づいて、同一の映像コンテンツを複数のチャンネルで放送する場合の放送開始時間の間隔を映像コンテンツごとに算出する放送開始間隔算出手段と、
各映像コンテンツについて、映像コンテンツを特定するコンテンツＩＤと、当該映像コンテンツに割り当てられたチャンネル数のチャンネル番号と、前記放送開始間隔算出手段によって算出された放送開始時間の間隔で前記チャンネル番号ごとに設定される放送開始時刻とを対応付けたチャンネル情報をそれぞれ設定するチャンネル情報設定手段と、
前記チャンネル情報設定手段によって設定されたチャンネル情報に従い、チャンネル番号ごとに設定された放送開始時刻で同一の映像コンテンツを放送する映像コンテンツ放送手段と、
前記チャンネル情報設定手段によって設定されたチャンネル情報を前記映像再生装置に対して放送するチャンネル情報放送手段とを備え、
前記映像再生装置は、
前記映像放送装置からチャンネル情報を受信した場合に、放送が予定されている各映像コンテンツを認識させるために、各映像コンテンツの概要を視聴者に通知する概要通知手段と、
前記概要通知手段による通知の結果、映像コンテンツの視聴要求を視聴者から受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を、受信したチャンネル情報の中から特定して、特定したチャンネル番号を有するチャンネルで映像コンテンツを受信する映像コンテンツ受信手段と
を備えたことを特徴とする映像放送システム。
【請求項８】
映像再生装置に受信した映像コンテンツを再生させ、映像放送装置に前記映像再生装置に対して映像コンテンツを放送させる映像放送方法であって、
前記映像放送装置に、
映像コンテンツの放送に使用可能なチャンネル総数と、各映像コンテンツの再生時間とに基づいて、映像コンテンツごとに割り当てるチャンネル番号の個数であるチャンネル数を算出させるチャンネル数算出ステップと、
各映像コンテンツの再生時間と、映像コンテンツごとに前記チャンネル数算出ステップにより算出されたチャンネル数とに基づいて、同一の映像コンテンツを複数のチャンネルで放送する場合の放送開始時間の間隔を映像コンテンツごとに算出させる放送開始間隔算出ステップと、
各映像コンテンツについて、映像コンテンツを特定するコンテンツＩＤと、当該映像コンテンツに割り当てられたチャンネル数のチャンネル番号と、前記放送開始間隔算出ステップによって算出された放送開始時間の間隔で前記チャンネル番号ごとに設定される放送開始時刻とを対応付けたチャンネル情報をそれぞれ設定させるチャンネル情報設定ステップと、
前記チャンネル情報設定ステップによって設定されたチャンネル情報に従い、チャンネル番号ごとに設定された放送開始時刻で同一の映像コンテンツを放送させる映像コンテンツ放送ステップと、
前記チャンネル情報設定ステップによって設定されたチャンネル情報を前記映像再生装置に対して放送させるチャンネル情報放送ステップと、
前記映像再生装置に、
前記映像放送装置からチャンネル情報を受信した場合に、放送が予定されている各映像コンテンツを認識させるために、各映像コンテンツの概要を視聴者に通知させる概要通知ステップと、
前記概要通知ステップによる通知の結果、映像コンテンツの視聴要求を視聴者から受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を、受信したチャンネル情報の中から特定して、特定したチャンネル番号を有するチャンネルで映像コンテンツを受信させる映像コンテンツ受信ステップと
を含んだことを特徴とする映像放送方法。
【発明の詳細な説明】
【技術分野】
【０００１】
この発明は、映像放送プログラム、映像放送方法、映像放送装置および映像放送システムに関する。
【背景技術】
【０００２】
従来から実施されているテレビ放送には、番組内にダイジェスト映像（例えば、野球中継に編集されている得点シーンのダイジェスト映像など）が編集されているものがある。このテレビ放送に係る技術として、例えば、特許文献１では、番組の中にダイジェスト映像を編集して放送する放送装置が開示されている。
【０００３】
【特許文献１】特開２０００−５０２３３号公報
【発明の開示】
【発明が解決しようとする課題】
【０００４】
しかしながら、従来の放送装置によるテレビ放送では、視聴者がダイジェスト映像を見逃すことがある、視聴者によるダイジェスト映像の視聴に余計な費用がかかる場合があるという課題があった。
【０００５】
すなわち、従来の放送装置によるテレビ放送では、そもそもダイジェスト映像を何度も放送していないので、視聴者がダイジェスト映像を見逃すことがあるという問題点があった。
【０００６】
また、インターネットアクセスによって、視聴者にダイジェスト映像をダウンロードさせることもできるが、このダイジェスト映像のダウンロードには、別途通信費用がかかる場合があるという問題点があった。
【０００７】
そこで、この映像放送プログラム、映像放送方法、映像放送装置および映像放送システムは、上述した従来技術の課題を解決するためになされたものであり、余計な通信費用を負担させることなく、見逃したダイジェスト映像を視聴者に視聴させることが可能な映像放送プログラム、映像放送方法、映像放送装置および映像放送システムを提供することを目的とする。
【課題を解決するための手段】
【０００８】
上述した課題を解決し、目的を達成するため、開示の映像放送プログラムは、映像再生装置により再生させるための映像コンテンツを放送する映像放送方法をコンピュータに実行させる映像放送プログラムであって、映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出手順と、各映像コンテンツの再生時間と、映像コンテンツごとに前記チャンネル数算出手順により算出されたチャンネル数とに基づいて、同一の映像コンテンツを複数のチャンネルで放送する場合の放送開始時間の間隔を映像コンテンツごとに算出する放送開始間隔算出手順と、各映像コンテンツについて、映像コンテンツを特定するコンテンツＩＤと、当該映像コンテンツに割り当てられたチャンネル数のチャンネル番号と、前記放送開始間隔算出手順によって算出された放送開始時間の間隔で前記チャンネル番号ごとに設定される放送開始時刻とを対応付けたチャンネル情報をそれぞれ設定するチャンネル情報設定手順と、前記チャンネル情報設定手順によって設定されたチャンネル情報に従い、チャンネル番号ごとに設定された放送開始時刻で同一の映像コンテンツを放送する映像コンテンツ放送手順と、映像コンテンツの視聴要求を受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を前記チャンネル情報設定手順により設定されたチャンネル情報の中から特定して、視聴要求元に通知するチャンネル番号通知手順とをコンピュータに実行させることを要する。
【０００９】
また、上記の映像放送プログラムにおいて、映像再生装置が映像コンテンツを受信するための準備時間を予め記憶する準備時間記憶手順をさらにコンピュータに実行させ、前記チャンネル番号通知手順は、視聴要求が受け付けられた時刻に対して前記準備時間記憶手順によって記憶されている準備時間を加算した時刻以降に放送開始時刻が設定されているチャンネル番号を前記チャンネル情報設定手順により設定されたチャンネル情報の中から特定することを要する。
【００１０】
また、上記の映像放送プログラムにおいて、映像コンテンツごとに視聴要求を受け付けた視聴回数を計測する視聴回数計測手順をさらにコンピュータに実行させ、前記チャンネル数算出手順は、チャンネル情報の変更要求を受け付けた場合に、前記視聴回数計測手順によって計測された視聴回数に基づいてコンテンツ各々の重要度を算出し、各重要度から重要度の総和を除算した値に前記チャンネル総数を積算して、映像コンテンツごとに割り当てるチャンネル数を改めて算出することを要する。
【００１１】
また、上記の映像放送プログラムにおいて、リアルタイムな放送の中で各映像コンテンツが放送された放送時刻をコンテンツＩＤに対応付けて記憶する放送時刻記憶手順と、視聴者を特定するための視聴者ＩＤと、視聴者ＩＤが登録された時刻を示す登録時刻とを対応付けて記憶する視聴者ＩＤ記憶手順と、登録要求とともに視聴者ＩＤを受け付けた場合に、視聴者ＩＤと、当該登録要求を受け付けた登録時刻とを前記視聴者ＩＤ記憶手順によって記憶されている情報に登録する視聴者ＩＤ登録手順と、登録解除要求とともに視聴者ＩＤを受け付けた場合に、当該視聴者ＩＤに対応付けて前記視聴者ＩＤ記憶手順によって記憶されている登録時刻から、前記登録解除要求を受け付けた登録解除時刻の間にリアルタイムな放送の中で放送された映像コンテンツを前記放送時刻記憶手順によって記憶された放送時刻の中から特定する映像コンテンツ特定手順とをさらにコンピュータに実行させ、前記チャンネル番号通知手順は、登録解除要求を受け付けた時刻以降に放送開始時刻が設定されているチャンネル番号を前記チャンネル情報設定手順により設定されたチャンネル情報の中から特定し、登録解除要求元に通知することを要する。
【００１２】
また、開示の映像放送方法は、映像再生装置により再生させるための映像コンテンツを放送する映像放送方法であって、映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出ステップと、各映像コンテンツの再生時間と、映像コンテンツごとに前記チャンネル数算出ステップにより算出されたチャンネル数とに基づいて、同一の映像コンテンツを複数のチャンネルで放送する場合の放送開始時間の間隔を映像コンテンツごとに算出する放送開始間隔算出ステップと、各映像コンテンツについて、映像コンテンツを特定するコンテンツＩＤと、当該映像コンテンツに割り当てられたチャンネル数のチャンネル番号と、前記放送開始間隔算出ステップによって算出された放送開始時間の間隔で前記チャンネル番号ごとに設定される放送開始時刻とを対応付けたチャンネル情報をそれぞれ設定するチャンネル情報設定ステップと、前記チャンネル情報設定ステップによって設定されたチャンネル情報に従い、チャンネル番号ごとに設定された放送開始時刻で同一の映像コンテンツを放送する映像コンテンツ放送ステップと、映像コンテンツの視聴要求を受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を前記チャンネル情報設定ステップにより設定されたチャンネル情報の中から特定して、視聴要求元に通知するチャンネル番号通知ステップとを含むことを要する。
【００１３】
また、開示の映像放送装置は、映像再生装置により再生させるための映像コンテンツを放送する映像放送装置であって、映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出手段と、各映像コンテンツの再生時間と、映像コンテンツごとに前記チャンネル数算出手段により算出されたチャンネル数とに基づいて、同一の映像コンテンツを複数のチャンネルで放送する場合の放送開始時間の間隔を映像コンテンツごとに算出する放送開始間隔算出手段と、各映像コンテンツについて、映像コンテンツを特定するコンテンツＩＤと、当該映像コンテンツに割り当てられたチャンネル数のチャンネル番号と、前記放送開始間隔算出手段によって算出された放送開始時間の間隔で前記チャンネル番号ごとに設定される放送開始時刻とを対応付けたチャンネル情報をそれぞれ設定するチャンネル情報設定手段と、前記チャンネル情報設定手段によって設定されたチャンネル情報に従い、チャンネル番号ごとに設定された放送開始時刻で同一の映像コンテンツを放送する映像コンテンツ放送手段と、映像コンテンツの視聴要求を受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を前記チャンネル情報設定手段により設定されたチャンネル情報の中から特定して、視聴要求元に通知するチャンネル番号通知手段とを備えることを要する。
【００１４】
また、開示の映像放送システムは、受信した映像コンテンツを再生する映像再生装置と、当該映像再生装置に対して映像コンテンツを放送する映像放送装置とからなる映像放送システムであって、前記映像放送装置は、映像コンテンツの放送に使用可能なチャンネル総数と、各映像コンテンツの再生時間とに基づいて、映像コンテンツごとに割り当てるチャンネル番号の個数であるチャンネル数を算出するチャンネル数算出手段と、各映像コンテンツの再生時間と、映像コンテンツごとに前記チャンネル数算出手段により算出されたチャンネル数とに基づいて、同一の映像コンテンツを複数のチャンネルで放送する場合の放送開始時間の間隔を映像コンテンツごとに算出する放送開始間隔算出手段と、各映像コンテンツについて、映像コンテンツを特定するコンテンツＩＤと、当該映像コンテンツに割り当てられたチャンネル数のチャンネル番号と、前記放送開始間隔算出手段によって算出された放送開始時間の間隔で前記チャンネル番号ごとに設定される放送開始時刻とを対応付けたチャンネル情報をそれぞれ設定するチャンネル情報設定手段と、前記チャンネル情報設定手段によって設定されたチャンネル情報に従い、チャンネル番号ごとに設定された放送開始時刻で同一の映像コンテンツを放送する映像コンテンツ放送手段と、前記チャンネル情報設定手段によって設定されたチャンネル情報を前記映像再生装置に対して放送するチャンネル情報放送手段とを備えることを要する。また、前記映像再生装置は、前記映像放送装置からチャンネル情報を受信した場合に、放送が予定されている各映像コンテンツを認識させるために、各映像コンテンツの概要を視聴者に通知する概要通知手段と、前記概要通知手段による通知の結果、映像コンテンツの視聴要求を視聴者から受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を、受信したチャンネル情報の中から特定して、特定したチャンネル番号を有するチャンネルで映像コンテンツを受信する映像コンテンツ受信手段とを備えることを要する。
【００１５】
また、開示の映像放送方法は、映像再生装置に受信した映像コンテンツを再生させ、映像放送装置に前記映像再生装置に対して映像コンテンツを放送させる映像放送方法であって、前記映像放送装置に、映像コンテンツの放送に使用可能なチャンネル総数と、各映像コンテンツの再生時間とに基づいて、映像コンテンツごとに割り当てるチャンネル番号の個数であるチャンネル数を算出させるチャンネル数算出ステップと、各映像コンテンツの再生時間と、映像コンテンツごとに前記チャンネル数算出ステップにより算出されたチャンネル数とに基づいて、同一の映像コンテンツを複数のチャンネルで放送する場合の放送開始時間の間隔を映像コンテンツごとに算出させる放送開始間隔算出ステップと、各映像コンテンツについて、映像コンテンツを特定するコンテンツＩＤと、当該映像コンテンツに割り当てられたチャンネル数のチャンネル番号と、前記放送開始間隔算出ステップによって算出された放送開始時間の間隔で前記チャンネル番号ごとに設定される放送開始時刻とを対応付けたチャンネル情報をそれぞれ設定させるチャンネル情報設定ステップと、前記チャンネル情報設定ステップによって設定されたチャンネル情報に従い、チャンネル番号ごとに設定された放送開始時刻で同一の映像コンテンツを放送させる映像コンテンツ放送ステップと、前記チャンネル情報設定ステップによって設定されたチャンネル情報を前記映像再生装置に対して放送させるチャンネル情報放送ステップと、前記映像再生装置に、前記映像放送装置からチャンネル情報を受信した場合に、放送が予定されている各映像コンテンツを認識させるために、各映像コンテンツの概要を視聴者に通知させる概要通知ステップと、前記概要通知ステップによる通知の結果、映像コンテンツの視聴要求を視聴者から受け付けた場合に、前記視聴要求に係る映像コンテンツのコンテンツＩＤに対応する各チャンネル番号の中で、前記視聴要求が受け付けられた時刻以降に放送開始時刻が設定されているチャンネル番号を、受信したチャンネル情報の中から特定して、特定したチャンネル番号を有するチャンネルで映像コンテンツを受信させる映像コンテンツ受信ステップとを含むことを要する。
【発明の効果】
【００１６】
開示の映像放送プログラム、映像放送方法、映像放送装置および映像放送システムによれば、余計な通信費用を負担させることなく、見逃したダイジェスト映像を視聴者に視聴させることが可能である。
【発明を実施するための最良の形態】
【００１７】
以下に添付図面を参照して、この発明に係る映像放送プログラム、映像放送方法、映像放送装置および映像放送システムの実施例を詳細に説明する。なお、以下では、テレビ機能を備えた携帯端末（映像再生装置）に対してダイジェスト映像（映像コンテンツ）を放送する映像放送装置に本発明を適用した場合を説明する。
【実施例１】
【００１８】
以下の実施例１では、実施例１に係る映像放送装置の概要および特徴、映像放送装置の構成、映像放送装置の処理の流れを順に説明し、最後に実施例１の効果を説明する。
【００１９】
［実施例１に係る映像放送装置の概要および特徴］
まず最初に、図１を用いて実施例１に係る映像放送装置の概要および特徴を説明する。図１は、実施例１に係る映像放送装置の概要および特徴を説明するための図である。
【００２０】
実施例１に係る映像放送装置は、テレビ機能を備えた携帯端末がダイジェスト映像を再生できるように、ダイジェスト映像を同時に放送することを概要とし、余計な通信費用を負担させることなく、見逃したダイジェスト映像を視聴者に視聴させる点を主たる特徴とする。
【００２１】
すなわち、実施例１に係る映像放送装置は、図１の（Ａ）の（１）に示すように、例えば、ダイジェスト映像Ａおよびダイジェスト映像Ｂを放送するときに、ダイジェスト映像の放送に使用可能なチャンネル総数と、各ダイジェスト映像の再生時間とに基づいて、ダイジェスト映像ごとに割り当てるチャンネル数を算出する。
【００２２】
続いて、実施例１に係る映像放送装置は、図１の（Ａ）の（２）に示すように、各ダイジェスト映像の再生時間と、各ダイジェスト映像のチャンネル数とに基づいて、同一のダイジェスト映像を複数回に分けて放送する場合の放送開始時間の間隔をダイジェスト映像ごとに算出する。例えば、ダイジェスト映像Ａの放送を「６秒間」刻みに開始し、ダイジェスト映像Ｂの放送を「６秒間」刻みに開始する旨を算出する。
【００２３】
続いて、実施例１に係る映像放送装置は、図１の（Ａ）の（３）に示すように、各ダイジェスト映像について、ダイジェスト映像を特定するダイジェスト映像ＩＤと、映像コンテンツに割り当てられたチャンネル数のチャンネル番号と、放送開始時間の間隔でチャンネル番号ごとに設定される放送開始時刻とを対応付けたチャンネル情報をそれぞれ設定する。例えば、チャンネル番号「Ｃｈ１」でダイジェスト映像Ａの放送を開始した「６秒間」後に、チャンネル番号「Ｃｈ２」でダイジェスト映像Ａの放送を開始するというように、ダイジェスト映像Ａの放送をチャンネル番号「Ｃｈ１〜１０」で「６秒間」刻みに開始するとともに、ダイジェスト映像Ｂの放送をチャンネル番号「Ｃｈ１１〜１５」で「６秒間」刻みに開始する旨をチャンネル情報として設定する。
【００２４】
続いて、実施例１に係る映像放送装置は、図１の（Ａ）の（４）に示すように、チャンネル情報に従い、チャンネル番号ごとに設定された放送開始時刻で同一のダイジェスト映像を放送する。
【００２５】
その後、実施例１に係る映像放送装置は、図１の（Ｂ）に示すように、例えば、時刻「１３秒」にダイジェスト映像Ａの視聴要求を受け付けた場合に、ダイジェスト映像Ａのダイジェスト映像ＩＤ「Ａ」に対応するチャンネル番号「Ｃｈ１〜１０」の中で、視聴要求が受け付けられた時刻以降に放送開始時刻（例えば、「１８秒」）が設定されているチャンネル番号「Ｃｈ４」をチャンネル情報の中から特定して、視聴要求元に通知する。
【００２６】
このようなことから、実施例１に係る映像放送装置は、上記した主たる特徴のごとく、余計な通信費用を負担させることなく、見逃したダイジェスト映像を視聴者に視聴させることが可能である。
【００２７】
［映像放送装置の構成］
次に、図２〜図５を用いて、図１に示した映像放送装置の構成を説明する。図２は、映像放送装置の構成を示すブロック図である。図３は、出力部に表示出力される情報の一例を示した図である。図４は、チャンネル情報記憶部に記憶される情報の一例を示した図である。図５は、チャンネル情報設定部による処理を説明するための図である。図２に示すように、この映像放送装置１０は、操作部２１〜２３と、放送部３０とを有して構成される。
【００２８】
操作部２１〜２３は、不特定多数の視聴者に対して情報を提供することを目的とした電子掲示板などであり、それぞれ個別に放送部３０と通信可能な状態で接続され、入力部および出力部を各々備える。なお、操作部２１〜２３は、各々同一の構成からなり、同一の処理をそれぞれ実行するものとし、以下では操作部２１の各構成要素について説明する。
【００２９】
入力部２１ａは、各種の情報の入力を受付ける。具体的には、入力部２１ａは、操作ボタン、タッチパネル、ＩＣカードリーダ、キーボードやマウス、マイクなどを備えて構成され、例えば、視聴者からダイジェスト映像の視聴要求を受け付ける。
【００３０】
出力部２１ｂは、各種の情報を出力する。具体的には、出力部２１ｂは、モニタ、ディスプレイ、タッチパネル、ＩＣカードライタ、スピーカを備えて構成される。例えば、出力部２１ｂは、図３の（Ａ）に示すように、ダイジェスト映像の一覧や、図３の（Ｂ）に示すように、ダイジェスト映像Ａの放送がチャンネル番号「Ｃｈ４」で予定されている旨などを出力表示する。
【００３１】
放送部３０は、ダイジェスト映像の放送処理を実行するとともに、操作部２１〜２３を介して視聴者から受け付けた情報に対して応答処理を実行する管理装置であり、記憶部３１と、処理部３２と、放送波送信部３３とを備える。
【００３２】
記憶部３１は、処理部３２による各種処理に必要なデータおよびプログラムを格納する。特に本発明に密接に関連するものとしては、ダイジェスト映像記憶部３１ａと、チャンネル情報記憶部３１ｂとを備える。
【００３３】
ダイジェスト映像記憶部３１ａは、ダイジェスト映像を記憶する。具体的には、ダイジェスト映像記憶部３１ａは、ダイジェスト映像Ａと、ダイジェスト映像Ｂとを記憶する。なお、ダイジェスト映像とは、野球中継に編集されている得点シーンのダイジェスト映像などであり、請求の範囲に記載の「映像コンテンツ」に対応する。
【００３４】
チャンネル情報記憶部３１ｂは、図４に示すように、ダイジェスト映像を特定するダイジェスト映像ＩＤ（例えば、「Ａ」）と、チャンネルを特定するチャンネル番号（例えば、「Ｃｈ１」）と、放送開始時刻（例えば、「００秒」）とを対応付けて記憶する。なお、チャンネル情報記憶部３１ｂに記憶される情報は、後述のチャンネル情報設定部３２ａによって格納されるものである。
【００３５】
処理部３２は、ＯＳ（Operating System）などの制御プログラム、各種の処理手順などを規定したプログラムおよび所要データを格納するための内部メモリを有し、これらによって種々の処理を実行する。特に本発明に密接に関連するものとしては、チャンネル情報設定部３２ａと、放送処理部３２ｂと、チャンネル番号通知部３２ｃとを備える。なお、チャンネル情報設定部３２ａは、請求の範囲に記載の「チャンネル数算出手段」、「放送開始間隔算出手段」および「チャンネル情報設定手段」に対応する。また、放送処理部３２ｂは、請求の範囲に記載の「映像コンテンツ放送手段」に対応する。また、チャンネル番号通知部３２ｃは、請求の範囲に記載の「チャンネル番号通知手段」に対応する。
【００３６】
チャンネル情報設定部３２ａは、ダイジェスト映像の放送に使用可能なチャンネル総数と、各ダイジェスト映像の再生時間とに基づいて、ダイジェスト映像ごとに割り当てるチャンネル番号の個数であるチャンネル数を算出する。
【００３７】
続いて、チャンネル情報設定部３２ａは、各ダイジェスト映像の再生時間と、算出されたチャンネル数とに基づいて、同一のダイジェスト映像を複数回に分けて放送する場合の放送開始時間の間隔をダイジェスト映像ごとに算出する。
【００３８】
そして、チャンネル情報設定部３２ａは、各ダイジェスト映像について、ダイジェスト映像ＩＤと、チャンネル番号と、算出された放送開始時間の間隔でチャンネル番号ごとに設定される放送開始時刻とを対応付けたチャンネル情報をそれぞれ設定する。
【００３９】
具体的に一例をあげて説明する上で、使用可能なチャンネル総数として「１５」が予め設定されており、ダイジェスト映像記憶部３１ａに再生時間が「６０秒間」のダイジェスト映像Ａおよび再生時間が「３０秒間」のダイジェスト映像Ｂが記憶されているものとする。
【００４０】
ここで、チャンネル情報設定部３２ａは、入力部２１ａ〜２３ａを介して放送開始要求を受け付けると、図５の（Ａ）に示した式を用いて、ダイジェスト映像ごとにチャンネル数を算出する。なお、「＊」は積算を表す。
【００４１】
例えば、チャンネル情報設定部３２ａは、ダイジェスト映像Ａのチャンネル数としてチャンネル数「１０」を算出する（つまり、ダイジェスト映像Ａの再生時間「６０秒間」から、ダイジェスト映像Ａおよびダイジェスト映像Ｂの再生時間の総和「６０秒間＋３０秒間」を除算した値に対して、放送可能なチャンネル総数「１５」を積算してチャンネル数「１０」を算出する）。
【００４２】
また、チャンネル情報設定部３２ａは、ダイジェスト映像Ｂのチャンネル数としてチャンネル数「５」を算出する（つまり、ダイジェスト映像Ｂの再生時間「３０秒間」から、ダイジェスト映像Ａおよびダイジェスト映像Ｂの再生時間の総和「６０秒間＋３０秒間」を除算した値に対して、放送可能なチャンネル総数「１５」を積算してチャンネル数「５」を算出する）。
【００４３】
続いて、チャンネル情報設定部３２ａは、図５の（Ｂ）に示した式を用いてダイジェスト映像ごとに同一のダイジェスト映像を複数回に分けて放送する場合の放送開始時間の間隔を算出する。
【００４４】
例えば、チャンネル情報設定部３２ａは、ダイジェスト映像Ａの放送開始間隔として、「６秒間」を算出する（つまり、ダイジェスト映像ＩＤ「Ａ」の再生時間「６０秒間」からダイジェスト映像Ａのチャンネル数「１０」を除算して「６秒間」を算出する）。
【００４５】
また、チャンネル情報設定部３２ａは、ダイジェスト映像ＩＤ「Ｂ」の放送開始間隔として、「６秒間」を算出する（つまり、ダイジェスト映像Ｂの再生時間「３０秒間」からダイジェスト映像Ａのチャンネル数「５」を除算して「６秒間」を算出する）。
【００４６】
続いて、チャンネル情報設定部３２ａは、例えば、ダイジェスト映像Ａについて、ダイジェスト映像ＩＤ「Ａ」と、チャンネル番号「Ｃｈ１〜１０」と、「６秒間」ごとに時刻を変えた放送開始時刻とを対応付けたチャンネル情報を設定し、チャンネル情報記憶部３１ｂに格納する（図４参照）。
【００４７】
なお、図４に示した例では、チャンネル番号「Ｃｈ１」でダイジェスト映像Ａの放送を開始し、「６秒」経過した後、チャンネル番号「Ｃｈ２」でダイジェスト映像Ａの放送を開始するというように、チャンネル番号「Ｃｈ１」、「Ｃｈ２」、・・・「Ｃｈ１０」の順に、「６秒間」の間隔刻みでダイジェスト映像Ａの放送を開始することを意味する。また、チャンネル番号「Ｃｈ１０」でダイジェスト映像Ａの放送を開始してから「６秒」経過した後（つまり、「００秒」に至ったとき）、再びチャンネル番号「Ｃｈ１」でダイジェスト映像Ａの放送を開始することを意味する。
【００４８】
また、チャンネル番号「Ｃｈ１１」でダイジェスト映像Ｂの放送を開始し、「６秒」経過した後、チャンネル番号「Ｃｈ１２」でダイジェスト映像Ｂの放送を開始するというように、チャンネル番号「Ｃｈ１１」、「Ｃｈ１２」、・・・、「Ｃｈ１５」の順に、「６秒間」の間隔刻みでダイジェスト映像Ｂの放送を開始することを意味する。また、チャンネル番号「Ｃｈ１５」でダイジェスト映像Ｂの放送を開始してから「６秒」経過した後（つまり、「００秒」および「３０秒」に至ったとき）、再びチャンネル番号「Ｃｈ１１」でダイジェスト映像Ｂの放送を開始することを意味する。
【００４９】
放送処理部３２ｂは、チャンネル情報設定部３２ａによって設定されたチャンネル情報に従い、チャンネル番号ごとに設定された放送開始時刻で同一の映像コンテンツを放送する。
【００５０】
具体的には、放送処理部３２ｂは、チャンネル情報記憶部３１ｂにチャンネル情報が格納されると、ダイジェスト映像記憶部３１ａからダイジェスト映像Ａおよびダイジェスト映像Ｂを読み込み、チャンネル番号「Ｃｈ１」でダイジェスト映像Ａの放送を開始するとともに、チャンネル番号「Ｃｈ１１」で、ダイジェスト映像Ｂの放送を開始する。そして、放送処理部３２ｂは、「６秒」が経過した後、チャンネル番号「Ｃｈ２」でダイジェスト映像Ａの放送を開始するとともに、チャンネル番号「Ｃｈ１２」で、ダイジェスト映像Ｂの放送を開始する。以降同様に、放送処理部３２ｂは、各チャンネルでダイジェスト映像の放送を適宜開始することで、同一のダイジェスト映像が複数回に分けて放送されるように、ダイジェスト映像Ａをチャンネル番号「Ｃｈ１〜１０」で、また、ダイジェスト映像Ｂをチャンネル番号「Ｃｈ１１〜１５」で放送する。
【００５１】
チャンネル番号通知部３２ｃは、チャンネル情報記憶部３１ｂにチャンネル情報が格納された場合に、ダイジェスト映像の一覧を生成し、操作部２１〜２３の出力部２１ｂ〜２３ｂを介してダイジェスト映像の一覧を表示出力する（図３の（Ａ）参照）。
【００５２】
また、チャンネル番号通知部３２ｃは、ダイジェスト映像の視聴要求を受け付けた場合に、視聴要求に係るダイジェスト映像のダイジェスト映像ＩＤに対応する各チャンネル番号の中で、視聴要求が受け付けられた時刻以降に放送開始時刻が設定されているチャンネル番号をチャンネル情報の中から特定して、視聴要求元に通知する。
【００５３】
具体的に一例をあげて説明すると、チャンネル番号通知部３２ｃは、時刻「１３秒」に操作部２１の入力部２１ａを介してダイジェスト映像Ａの視聴要求を受け付けると、チャンネル情報記憶部３１ｂからチャンネル情報を読み込み、ダイジェスト映像ＩＤ「Ａ」に対応するチャンネル番号「Ｃｈ１〜１０」の中で放送開始時刻が時刻「１８秒」に設定されているチャンネル番号「Ｃｈ４」を特定する。
【００５４】
そして、チャンネル番号通知部３２ｃは、操作部２１の出力部２１ｂを介して、ダイジェスト映像Ａの放送がチャンネル番号「Ｃｈ４」で予定されている旨を通知する（図３の（Ｂ）参照）。
【００５５】
なお、映像放送装置１０によるチャンネル番号の通知方法は、本発明を限定するものではなく、操作部２１の出力部２１ｂを介して携帯端末にチャンネル番号を通知するようにすれば、本発明に適用することが可能である。例えば、ＩＣカードリーダライタを用いて、チャンネル番号を携帯端末に通知し、携帯端末の出力部にチャンネル番号を表示させるようにしてもよい。また、映像放送装置１０から携帯端末に対して、非接触式ＩＣ（ＲＦＩＤ）通信機能によってチャンネル番号を通知し、携帯端末は、自動的に通知されたチャンネル番号に変更して、映像放送装置１０から放送されているダイジェスト映像を受信するようにしてもよい。
【００５６】
放送波送信部３３は、各チャンネル番号を介して放送波を送信する。具体的には、放送波送信部３３は、放送用の各チャンネル番号を介して無線信号を送信して、ダイジェスト映像を放送する。
【００５７】
［映像放送装置による処理］
次に、図６および図７を用いて、映像放送装置１０によるダイジェスト映像放送処理およびチャンネル番号通知処理を説明する。図６は、映像放送装置によるダイジェスト映像放送処理の流れを示すフローチャート図である。図７は、映像放送装置によるチャンネル番号通知処理の流れを示すフローチャート図である。
【００５８】
［映像放送装置によるダイジェスト映像放送処理］
図６に示すように、放送開始要求を受け付けると（ステップＳ１００１肯定）、映像放送装置１０は、ダイジェスト映像ごとにチャンネル数を算出し（ステップＳ１００２）、ダイジェスト映像ごとに放送開始時間の間隔を算出し（ステップＳ１００３）、チャンネル情報を設定する（ステップＳ１００４）。
【００５９】
続いて、映像放送装置１０は、チャンネル情報に従って、チャンネル番号ごとに設定された放送開始時刻で同一の映像コンテンツを放送するとともに、ダイジェスト映像の一覧を表示出力して（ステップＳ１００５）、上記した処理（ステップＳ１００１〜Ｓ１００５）を繰り返し実行する。なお、映像放送装置１０によるダイジェスト映像放送処理は、映像放送装置１０の駆動の停止とともに処理を終了する。
【００６０】
［映像放送装置によるチャンネル番号通知処理］
また、図７に示すように、ダイジェスト映像の視聴要求を受け付けると（ステップＳ２００１肯定）、映像放送装置１０は、視聴要求が受け付けられた時刻以降に放送開始時刻が設定されているチャンネル番号を特定し（ステップＳ２００２）、視聴要求元にチャンネル番号を通知して（ステップＳ２００３）、チャンネル番号通知処理を終了する。
【００６１】
［実施例１の効果］
上記したように、実施例１によれば、通信費用を負担させることなく、見逃したダイジェスト映像を視聴者に視聴させることが可能である。例えば、テレビ番組に編集されたダイジェスト映像を見逃した視聴者にダイジェスト映像を視聴させることが可能である。
【００６２】
また、実施例１によれば、視聴要求元に放送チャンネルを通知するので、ダイジェスト映像が放送されているチャンネル番号を探す手間（例えば、ザッピングなどの手間）を省かせることが可能である。
【実施例２】
【００６３】
ところで、実施例１では、視聴要求が受け付けられた時刻以降に放送開始時刻が設定されているチャンネル番号を特定する場合を説明したが本発明はこれに限定されるものではなく、視聴要求を受け付けた時刻に対して携帯端末がダイジェスト映像を受信するための準備時間を加算した時刻以降に放送開始時刻が設定されているチャンネル番号を特定するようにしてもよい。
【００６４】
そこで、実施例２では、視聴要求が受け付けられた時刻に対して準備時間を加算した時刻以降に放送開始時刻が設定されているチャンネル番号を特定する場合を説明する。なお、実施例２では、実施例２に係る映像放送装置の構成および映像放送装置による処理の流れを説明した後、実施例２による効果を説明する。
【００６５】
［実施例２に係る映像放送装置の構成］
まず、図８を用いて実施例２に係る映像放送装置１０の構成を説明する。図８は、実施例２に係る映像放送装置の構成を示すブロック図である。実施例２に係る映像放送装置１０の構成は、準備時間記憶部３１ｃを新たに備える他は、実施例１に係る映像放送装置１０と以下に説明する点が異なる。
【００６６】
すなわち、準備時間記憶部３１ｃは、携帯端末がダイジェスト映像を受信するための準備時間を予め記憶する。ここで、「準備時間」とは、例えば、携帯端末におけるテレビ受信アプリケーションの起動に要する時間（例えば、「１０秒間」）などである。なお、準備時間記憶部３１ｃは、請求の範囲に記載の「準備時間記憶手段」に対応する。
【００６７】
チャンネル番号通知部３２ｃは、視聴要求が受け付けられた時刻に対して準備時間記憶部３１ｃに記憶されている準備時間を加算した時刻以降に放送開始時刻が設定されているチャンネル番号をチャンネル情報設定部３２ａにより設定されたチャンネル情報の中から特定する。
【００６８】
具体的に一例をあげて説明すると、チャンネル番号通知部３２ｃは、時刻「１３秒」に操作部２１を介してダイジェスト映像Ａの視聴要求を受け付けると、準備時間記憶部３１ｃから準備時間（例えば、「１０秒間」）を読み込み、視聴要求を受け付けた時刻「１３秒」に「１０秒間」を加算して起算時刻「２３秒」を算出する。
【００６９】
そして、チャンネル番号通知部３２ｃは、チャンネル情報記憶部３１ｂからチャンネル情報を読み込み、起算時刻以降に放送開始時刻が設定されている（例えば、時刻「２４秒」に放送開始時刻が設定されている）チャンネル番号「Ｃｈ５」を特定する。
【００７０】
［実施例２に係る映像放送装置によるチャンネル番号通知処理］
次に、図９を用いて、実施例２に係る映像放送装置によるチャンネル通知処理を説明する。図９は、実施例２に係る映像放送装置によるチャンネル番号通知処理の流れを示すフローチャート図である。
【００７１】
図９に示すように、ダイジェスト映像の視聴要求を受け付けると（ステップＳ３００１肯定）、映像放送装置１０は、視聴要求が受け付けられた時刻に対して準備時間加算して起算時刻を算出し（ステップＳ３００２）、起算時刻以降に放送開始時刻が設定されているチャンネル番号を特定する（ステップＳ３００３）。
【００７２】
続いて、映像放送装置１０は、視聴要求元にチャンネル番号を通知して（ステップＳ３００４）、チャンネル番号通知処理を終了する。
【００７３】
［実施例２の効果］
上記したように、実施例２によれば、視聴者に通知したチャンネル番号でダイジェスト映像の放送を開始した後に、視聴者が視聴を開始する危険性を少なくすることが可能である。例えば、視聴者が携帯端末によってテレビ受信アプリケーションを起動した後に、放送開始されるチャンネル番号を特定するので、ダイジェスト映像の放送を開始した後に、視聴者が視聴を開始する危険性（言い換えれば、携帯端末によってダイジェスト映像の途中から再生される危険性）を少なくすることが可能である。
【実施例３】
【００７４】
ところで、実施例１または実施例２において、ダイジェスト映像の視聴要求を受け付けた視聴回数を計測し、視聴回数に基づいてチャンネル数を改めて算出するようにしてもよい。
【００７５】
そこで、実施例３では、視聴回数に基づいてチャンネル数を改めて算出する場合を説明する。なお、実施例３では、実施例３に係る映像放送装置の構成および映像放送装置による処理の流れを説明した後、実施例３による効果を説明する。
【００７６】
［実施例３に係る映像放送装置の構成］
まず、図１０〜図１２を用いて実施例３に係る映像放送装置１０の構成を説明する。図１０は、実施例３に係る映像放送装置の構成を示すブロック図である。図１１は、視聴回数記憶部に記憶される情報の一例を示した図である。図１２は、実施例３に係るチャンネル情報設定部による処理を説明するための図である。
【００７７】
実施例３に係る映像放送装置１０の構成は、視聴回数記憶部３１ｄと、視聴回数計測部３２ｄとを新たに備える他は、実施例１に係る映像放送装置１０と以下に説明する点が異なる。
【００７８】
すなわち、視聴回数記憶部３１ｄは、映像コンテンツごとに視聴要求を受け付けた視聴回数を記憶する。具体的には、視聴回数記憶部３１ｄは、図１１に示すように、ダイジェスト映像ＩＤに対応付けて視聴回数を記憶する。なお、視聴回数記憶部３１ｄに記憶される情報は、後述の視聴回数計測部３２ｄによって更新されるものである。
【００７９】
視聴回数計測部３２ｄは、ダイジェスト映像ごとに視聴要求を受け付けた視聴回数を計測する。具体的には、視聴回数計測部３２ｄは、チャンネル番号通知部３２ｃによってダイジェスト映像の視聴要求が受け付けられた場合に、ダイジェスト映像のダイジェスト映像ＩＤに対応付けて視聴回数記憶部３１ｄに記憶されている視聴回数に、「１」を加算して更新する。なお、視聴回数計測部３２ｄは、請求の範囲に記載の「視聴回数計測手段」に対応する。
【００８０】
チャンネル情報設定部３２ａは、チャンネル情報の変更要求を受け付けた場合に、ダイジェスト映像の視聴回数に基づいてダイジェスト映像各々の重要度を算出し、各重要度から重要度の総和を除算した値にチャンネル総数を積算して、ダイジェスト映像ごとに割り当てるチャンネル数を改めて算出する。
【００８１】
具体的に一例をあげて説明する上で、使用可能なチャンネル総数として「１５」が予め設定されており、ダイジェスト映像記憶部３１ａに再生時間が「６０秒間」のダイジェスト映像Ａおよび再生時間が「３０秒間」のダイジェスト映像Ｂが記憶されており、視聴回数記憶部３１ｄにダイジェスト映像ＩＤ「Ａ」に対応付けて視聴回数「１００回」およびダイジェスト映像ＩＤ「Ｂ」に対応付けて視聴回数「５０回」が格納されているものとする。
【００８２】
ここで、チャンネル情報設定部３２ａは、映像再生装置１０の管理者からチャンネル情報の変更要求を受け付けると、ダイジェスト映像Ａの視聴回数「１００回」に基づいて、ダイジェスト映像Ａの重要度を重要度「１００」とし、ダイジェスト映像Ｂの視聴回数「５０回」に基づいて、ダイジェスト映像Ｂの重要度を重要度「５０」とする。
【００８３】
そして、チャンネル情報設定部３２ａは、ダイジェスト映像Ａのチャンネル数としてチャンネル数「１０」を算出する（つまり、ダイジェスト映像Ａの重要度「１００」から、ダイジェスト映像Ａおよびダイジェスト映像Ｂの重要度の総和「１００＋５０」を除算した値に対して、放送可能なチャンネル総数「１５」を積算してチャンネル数「１０」を算出する）。
【００８４】
また、チャンネル情報設定部３２ａは、ダイジェスト映像Ｂのチャンネル数としてチャンネル数「３」を算出する（つまり、ダイジェスト映像Ｂの重要度「５０」から、ダイジェスト映像Ａおよびダイジェスト映像Ｂの重要度の総和「１００＋５０」を除算した値に対して、放送可能なチャンネル総数「１５」を積算してチャンネル数「５」を算出する）。
【００８５】
なお、ダイジェスト映像ごとに割り当てるチャンネル数の算出方法は、上記した一例に限定されるものではなく、例えば、図１２に示した計算式を用いてダイジェスト映像ごとに割り当てるチャンネル数を算出するようにしてもよい。
【００８６】
具体的には、チャンネル情報設定部３２ａは、映像再生装置１０の管理者からチャンネル情報の変更要求を受け付けると、図１２の（Ａ）に示した式を用いて、ダイジェスト映像Ａの重要度として、重要度「６０００」を算出する（つまり、ダイジェスト映像Ａの再生時間「６０秒間」に対して、ダイジェスト映像Ａの視聴回数「１００回」を積算して重要度「６０００」を算出する）。
【００８７】
また、チャンネル情報設定部３２ａは、図１２の（Ａ）に示した式を用いて、ダイジェスト映像Ｂの重要度として、重要度「１５００」を算出する（つまり、ダイジェスト映像Ａの再生時間「３０秒間」に対して、ダイジェスト映像Ｂの視聴回数「５０回」を積算して重要度「１５００」を算出する）。
【００８８】
続いて、チャンネル情報設定部３２ａは、図１２の（Ｂ）に示した式を用いて、ダイジェスト映像Ａのチャンネル数としてチャンネル数「１２」を算出する（つまり、ダイジェスト映像Ａの重要度「６０００」から、ダイジェスト映像Ａおよびダイジェスト映像Ｂの重要度の総和「６０００＋１５００」を除算した値に対して、放送可能なチャンネル総数「１５」を積算してチャンネル数「１２」を算出する）。
【００８９】
また、チャンネル情報設定部３２ａは、図１２の（Ｂ）に示した式を用いて、ダイジェスト映像Ｂのチャンネル数としてチャンネル数「３」を算出する（つまり、ダイジェスト映像Ｂの重要度「１５００」から、ダイジェスト映像Ａおよびダイジェスト映像Ｂの重要度の総和「６０００＋１５００」を除算した値に対して、放送可能なチャンネル総数「１５」を積算してチャンネル数「３」を算出する）。
【００９０】
［実施例３に係る映像放送装置による処理］
次に、図１３および図１４を用いて、映像放送装置１０によるチャンネル番号通知処理およびダイジェスト映像放送処理を説明する。図１３は、実施例３に係る映像放送装置によるチャンネル番号通知処理の流れを示すフローチャート図である。図１４は、実施例３に係る映像放送装置によるダイジェスト映像放送処理の流れを示すフローチャート図である。
【００９１】
［実施例３に係る映像放送装置によるチャンネル番号通知処理］
図１３に示すように、ダイジェスト映像の視聴要求を受け付けると（ステップＳ４００１肯定）、映像放送装置１０は、視聴回数記憶部３１ｄに記憶されている視聴回数を更新する（ステップＳ４００２）。
【００９２】
そして、映像放送装置１０は、視聴要求が受け付けられた時刻以降に放送開始時刻が設定されているチャンネル番号を特定し（ステップＳ４００３）、視聴要求元にチャンネル番号を通知して（ステップＳ４００４）、チャンネル番号通知処理を終了する。
【００９３】
［実施例３に係る映像放送装置によるダイジェスト映像放送処理］
図１４に示すように、チャンネル情報の変更要求を受け付けると（ステップＳ５００１肯定）、映像放送装置１０は、ダイジェスト映像各々の重要度を算出し（ステップＳ５００２）、ダイジェスト映像ごとにチャンネル数を算出し（ステップＳ５００３）、ダイジェスト映像ごとに放送開始時間の間隔を算出し（ステップＳ５００４）、チャンネル情報を設定する（ステップＳ５００５）。
【００９４】
続いて、映像放送装置１０は、チャンネル情報に従って、チャンネル番号ごとに設定された放送開始時刻で同一の映像コンテンツを放送するとともに、ダイジェスト映像の一覧を表示出力して（ステップＳ５００６）、上記した処理（ステップＳ５００１〜Ｓ５００６）を繰り返し実行する。なお、映像放送装置１０によるダイジェスト映像放送処理は、映像放送装置１０の駆動の停止とともに処理を終了する。
【００９５】
［実施例３の効果］
上記したように、実施例３によれば、各ダイジェスト映像を視聴者の需要に合ったチャンネル数で放送することが可能である。例えば、視聴回数が少ない（つまり、視聴者の需要が低い）ダイジェスト映像には少ないチャンネル数を割り当て、視聴回数が多い（つまり、視聴者の需要が高い）ダイジェスト映像には多いチャンネル数を割り当てるので、視聴者によって視聴される頻度が高いダイジェスト映像を多くのチャンネルで放送することが可能である。
【実施例４】
【００９６】
ところで、実施例１〜３において、例えば、視聴者が視聴していない時間帯に、リアルタイムな放送の中でダイジェスト映像が放送されたことを通知するようにしてもよい。
【００９７】
そこで、実施例４では、視聴者ＩＤを登録してから登録解除するまでの間にリアルタイムな放送の中で放送されたダイジェスト映像を特定し、このダイジェスト映像の放送が予定されているチャンネル番号を通知する場合を説明する。なお、実施例４では、実施例４に係る映像放送装置の構成およびチャンネル番号通知処理の流れを説明した後、実施例４による効果を説明する。
【００９８】
［実施例４に係る映像放送システムの構成］
まず、図１５〜図１７を用いて実施例４に係る映像放送装置１０の構成を説明する。図１５は、実施例４に係る映像放送装置の構成を示すブロック図である。図１６は、放送時刻記憶部に記憶される情報の一例を示した図である。図１７は、視聴者ＩＤ記憶部に記憶される情報の一例を示した図である。
【００９９】
実施例４に係る映像放送装置１０の構成は、放送時刻記憶部３１ｅと、視聴者ＩＤ記憶部３１ｆと、ダイジェスト映像特定部３２ｅとをさらに備える他は、実施例１に係る映像放送装置１０と以下に説明する点が異なる。
【０１００】
すなわち、放送時刻記憶部３１ｅは、リアルタイムな放送の中で各ダイジェスト映像が放送された放送時刻をダイジェスト映像ＩＤに対応付けて記憶する。具体的に一例をあげて説明すると、放送時刻記憶部３１ｅは、図１６に示すように、ダイジェスト映像ＩＤ「Ａ」に対応付けて、放送時刻「１８時３０分００秒」を記憶する。なお、放送時刻記憶部３１ｅは、請求の範囲に記載の「放送時刻記憶手段」に対応する。また、放送時刻記憶部３１ｅに記憶される「放送時刻」は、例えば、ダイジェスト映像記憶部３１ａに各ダイジェスト映像が格納されるとともに格納される情報である。
【０１０１】
視聴者ＩＤ記憶部３１ｆは、視聴者を特定するための視聴者ＩＤと、視聴者ＩＤが登録された時刻を示す登録時刻とを対応付けて記憶する。具体的に一例をあげて説明すると、視聴者ＩＤ記憶部３１ｆは、図１７に示すように、視聴者ＩＤ「△△△△」に対応付けて、視聴者ＩＤ「△△△△」が登録された登録時刻「１８時２５分００秒」を記憶する。なお、視聴者ＩＤ記憶部３１ｆは、請求の範囲に記載の「視聴者ＩＤ記憶手段」に対応する。
【０１０２】
ダイジェスト映像特定部３２ｅは、登録要求とともに視聴者ＩＤを受け付けた場合に、視聴者ＩＤと、登録要求を受け付けた登録時刻とを視聴者ＩＤ記憶部３１ｆに登録する。
【０１０３】
その後、ダイジェスト映像特定部３２ｅは、登録解除要求とともに視聴者ＩＤを受け付けた場合に、視聴者ＩＤに対応付けて視聴者ＩＤ記憶部３１ｆに記憶されている登録時刻から、登録解除要求を受け付けた登録解除時刻の間にリアルタイムな放送の中で放送されたダイジェスト映像を放送時刻記憶部３１ｅに記憶された放送時刻の中から特定する。
【０１０４】
具体的に一例をあげて説明すると、ダイジェスト映像特定部３２ｅは、入力部２１ａを介して「１８時２５分００秒」に登録要求とともに視聴者ＩＤ「△△△△」を受け付けると、視聴者ＩＤ「△△△△」と、登録時刻「１８時２５分００秒」とを対応付けて視聴者ＩＤ記憶部３１ｆに登録する。
【０１０５】
その後、ダイジェスト映像特定部３２ｅは、入力部２１ａを介して「１８時４０分１３秒」に登録解除要求とともに視聴者ＩＤ「△△△△」を受け付けると、放送時刻記憶部３１ｅを参照し、「１８時２５分００秒から１８時４０分１３秒」の間に、ダイジェスト映像ＩＤ「Ａ」のダイジェスト映像Ａがリアルタイムな放送の中で放送されていたことを特定する。
【０１０６】
そして、ダイジェスト映像特定部３２ｅは、チャンネル番号通知部３２ｃに対してダイジェスト映像ＩＤ「Ａ」が特定された旨と、入力部２１ａを介して「１８時４０分１３秒」に登録解除要求を受け付けた旨とを通知する。なお、ダイジェスト映像特定部３２ｅは、請求の範囲に記載の「視聴者ＩＤ登録手段」および「映像コンテンツ特定手段」に対応する。
【０１０７】
チャンネル番号通知部３２ｃは、登録解除要求を受け付けた時刻以降に放送開始時刻が設定されているチャンネル番号をチャンネル情報設定部３２ａにより設定されたチャンネル情報の中から特定し、登録解除要求元に通知する。
【０１０８】
具体的に一例をあげて説明すると、チャンネル番号通知部３２ｃは、ダイジェスト映像ＩＤ「Ａ」が特定された旨および入力部２１ａを介して「１８時４０分１３秒」に登録解除要求を受け付けた旨の通知を受け付けると、チャンネル情報記憶部３１ｂからチャンネル情報を読み込み、ダイジェスト映像ＩＤ「Ａ」に対応するチャンネル番号「Ｃｈ１〜１０」の中で放送開始時刻が時刻「１８秒」に設定されているチャンネル番号「Ｃｈ４」を特定する。
【０１０９】
そして、チャンネル番号通知部３２ｃは、操作部２１の出力部２１ｂを介して、ダイジェスト映像Ａの放送がチャンネル番号「Ｃｈ４」で予定されている旨を通知する。
【０１１０】
［実施例４に係る映像放送装置によるチャンネル番号通知処理］
次に、図１８を用いて、実施例４に係る映像放送装置１０によるチャンネル番号通知処理を説明する。図１８は、実施例４に係る映像放送装置によるチャンネル番号通知処理の流れを示すフローチャート図である。
【０１１１】
図１８に示すように、登録要求とともに視聴者ＩＤを受け付けると（ステップＳ６００１肯定）、映像放送装置１０は、視聴者ＩＤと、登録時刻とを対応付けて登録する（ステップＳ６００２）。
【０１１２】
その後、登録解除要求とともに視聴者ＩＤを受け付けると（ステップＳ６００３肯定）、映像放送装置１０は、登録時刻から登録解除時刻の間にリアルタイムな放送の中で放送されたダイジェスト映像を特定する（ステップＳ６００４）。
【０１１３】
続いて、映像放送装置１０は、登録解除要求を受け付けた時刻以降に放送開始時刻が設定されているチャンネル番号をチャンネル情報の中から特定し（ステップＳ６００５）、
登録解除要求元にチャンネル番号を通知して（ステップＳ６００６）、チャンネル番号通知処理を終了する。
【０１１４】
［実施例４の効果］
上記したように、実施例４によれば、見逃したことを気付かないようなダイジェスト映像も視聴者に視聴させることが可能である。例えば、所用を済ませるためにリアルタイムな放送の視聴を一時的に中止したときに視聴者に視聴者ＩＤを登録させ、所用を済ませた後に視聴者ＩＤの登録を解除させるようにすれば、所用を行っていた時間帯にリアルタイムな放送で放送されたダイジェスト映像を視聴者に視聴させることが可能である。
【実施例５】
【０１１５】
ところで、実施例１〜４では、映像放送装置１０によって放送チャンネルを特定して、視聴要求元に通知する場合を説明したが、本発明はこれに限定されるものではなく、携帯端末によって放送チャンネルを特定するようにしてもよい。
【０１１６】
そこで、実施例５では、携帯端末が映像放送装置１０から受信したチャンネル情報を用いて放送チャンネルを特定する場合を説明する。なお、実施例５では、携帯端末と、映像放送装置とからなる映像放送システムに本発明を適用した場合を説明し、実施例５に係る映像放送システムの構成および映像放送システムによる処理の流れを説明した後、実施例５による効果を説明する。
【０１１７】
［実施例５に係る映像放送システムの構成］
まず、図１９〜図２１を用いて実施例５に係る映像放送システムの構成を説明する。図１９は、実施例５に係る映像放送装置の構成を示すブロック図である。図２０は、実施例５に係る携帯端末の構成を示すブロック図である。図２１は、携帯端末の出力部に出力表示される情報の一例を示した図である。
【０１１８】
［実施例５に係る映像放送装置の構成］
図１９に示すように、実施例５に係る映像放送装置１０の構成は、チャンネル番号通知部３２ｃの代わりにチャンネル情報送信部３２ｆを備える他は、実施例１に係る映像放送装置１０と以下に説明する点が異なる。
【０１１９】
すなわち、チャンネル情報送信部３２ｆは、チャンネル情報設定部３２ａよって設定されたチャンネル情報を携帯端末に対して放送する。具体的には、チャンネル情報送信部３２ｆは、チャンネル情報記憶部３１ｂにチャンネル情報が格納された場合に、放送波送信部３３を介してチャンネル情報を携帯端末に対して放送する。なお、チャンネル情報送信部３２ｆは、請求の範囲に記載の「チャンネル情報送信手段」に対応する。
【０１２０】
［実施例５に係る携帯端末の構成］
図２０に示すように、携帯端末４０は、入力部４１と、出力部４２と、アンテナ４３と、記憶部４４と、処理部４５とを有して構成される。
【０１２１】
入力部４１は、各種の情報の入力を受付ける。具体的には、入力部４１は、操作ボタンやマイクなどを備えて構成され、例えば、ダイジェスト映像Ａの視聴要求を受け付ける。
【０１２２】
出力部４２は、各種の情報を出力する。具体的には、出力部４２は、モニタ、ディスプレイ、スピーカなどを備えて構成される。例えば、出力部４２は、図２１の（Ａ）に示すように、ダイジェスト映像の一覧を表示出力することや、図２１の（Ｂ）に示すように、ダイジェスト映像を再生する。
【０１２３】
アンテナ４３は、放送波などの無線信号を受信する。具体的には、アンテナ４３は、映像放送装置１０から放送されたダイジェスト映像やチャンネル情報を受信する。
【０１２４】
記憶部４４は、処理部４５による各種処理に必要なデータおよびプログラムを格納する。特に本発明に密接に関連するものとしては、チャンネル情報記憶部４４ａを備える。
【０１２５】
チャンネル情報記憶部４４ａは、映像放送装置１０から受信したチャンネル情報を記憶する。なお、チャンネル情報記憶部４４ａに記憶される情報は、映像放送装置１０のチャンネル情報記憶部３１ｂに記憶される情報と同様である（図４参照）。
【０１２６】
処理部４５は、ＯＳ（Operating System）などの制御プログラム、各種の処理手順などを規定したプログラムおよび所要データを格納するための内部メモリを有し、これらによって種々の処理を実行する。特に本発明に密接に関連するものとしては、概要通知部４５ａと、ダイジェスト映像受信部４５ｂとを備える。なお、概要通知部４５ａは、請求の範囲に記載の「概要通知手段」に対応する。また、ダイジェスト映像受信部４５ｂは、請求の範囲に記載の「映像コンテンツ受信手段」に対応する。
【０１２７】
概要通知部４５ａは、映像放送装置１０からチャンネル情報を受信した場合に、放送が予定されている各ダイジェスト映像を認識させるために、各ダイジェスト映像の概要を視聴者に通知する。
【０１２８】
具体的には、概要通知部４５ａは、アンテナ４３を介して映像放送装置１０から放送されたチャンネル情報を受信すると、チャンネル情報をチャンネル情報記憶部４４ａに格納する。続いて、概要通知部４５ａは、ダイジェスト映像の一覧を生成し、出力部４２を介してダイジェスト映像の一覧を表示出力する（図２１の（Ａ）参照）。
【０１２９】
ダイジェスト映像受信部４５ｂは、概要通知部４５ａによる通知の結果、ダイジェスト映像の視聴要求を視聴者から受け付けた場合に、視聴要求に係るダイジェスト映像のダイジェスト映像ＩＤに対応する各チャンネル番号の中で、視聴要求が受け付けられた時刻以降に放送開始時刻が設定されているチャンネル番号を、受信したチャンネル情報の中から特定して、特定したチャンネル番号を有するチャンネルでダイジェスト映像を受信する。
【０１３０】
具体的に一例をあげて説明すると、ダイジェスト映像受信部４５ｂは、時刻「１３秒」に入力部４１を介してダイジェスト映像Ａの視聴要求を受け付けると、チャンネル情報記憶部４４ａからチャンネル情報を読み込み、ダイジェスト映像ＩＤ「Ａ」に対応するチャンネル番号「Ｃｈ１〜１０」の中で放送開始時刻が時刻「１８秒」に設定されているチャンネル番号「Ｃｈ４」を特定する。
【０１３１】
そして、ダイジェスト映像受信部４５ｂは、アンテナ４３を介してチャンネル番号「Ｃｈ４」を有するチャンネルでダイジェスト映像Ａを受信し、受信したダイジェスト映像を出力部４２を介して再生する（図２１の（Ｂ）参照）。
【０１３２】
［映像放送システムによる処理］
次に、図２２、図２３を用いて、映像放送システムにおける映像放送装置１０および携帯端末４０の処理を説明する。図２２は、実施例５に係る映像放送装置による処理の流れを示すフローチャート図である。図２３は、携帯端末による処理の流れを示すフローチャート図である。
【０１３３】
［実施例５に係る映像放送装置による処理］
図２２に示すように、放送開始要求を受け付けると（ステップＳ７００１肯定）、映像放送装置１０は、ダイジェスト映像ごとにチャンネル数を算出し（ステップＳ７００２）、ダイジェスト映像ごとに放送開始時間の間隔を算出し（ステップＳ７００３）、チャンネル情報を設定する（ステップＳ７００４）。
【０１３４】
続いて、映像放送装置１０は、チャンネル情報に従って、チャンネル番号ごとに設定された放送開始時刻で同一の映像コンテンツを放送するとともに、チャンネル情報を放送して（ステップＳ７００５）、上記した処理（ステップＳ７００１〜Ｓ７００５）を繰り返し実行する。なお、実施例５に係る映像放送装置１０による処理は、映像放送装置１０の駆動の停止とともに処理を終了する。
【０１３５】
［実施例５に係る携帯端末による処理］
図２３に示すように、チャンネル情報を受信すると（ステップＳ８００１肯定）、ダイジェスト映像の一覧を生成して表示出力する（ステップＳ８００２）。
【０１３６】
その後、ダイジェスト映像の視聴要求を視聴者から受け付けると（ステップＳ８００３肯定）、視聴要求が受け付けられた時刻以降に放送開始時刻が設定されているチャンネル番号を特定し（ステップＳ８００４）、特定したチャンネル番号を有するチャンネルでダイジェスト映像を受信して再生し（ステップＳ８００５）、視聴者からダイジェスト映像の再生の指示を受け付けるとともに処理を終了する。
【実施例６】
【０１３７】
さて、これまで実施例１〜５について説明したが、本発明は上述した実施例以外にも、種々の異なる形態にて実施されてよいものである。そこで、以下では、実施例６として、他の実施例を説明する。
【０１３８】
例えば、実施例４では、映像放送装置１０が視聴者ＩＤ記憶部３１ｆを備えて登録時刻を記憶する場合を説明したが、本発明はこれに限定されるものではなく、携帯端末が登録時刻を記憶してもよい。例えば、携帯端末から登録時刻および登録解除時刻を映像放送装置１０に対して送信し、映像放送装置１０は、登録時刻から登録解除時刻の間にリアルタイムな放送の中で放送されたダイジェスト映像を特定するようにしてもよい。
【０１３９】
また、上記文書中や図面中で示した処理手順、制御手順、具体的名称、各種のデータやパラメータを含む情報（例えば、図４、図１１、図１６および図１７に示した記憶情報や図３および図２１に示した表示情報）については、特記する場合を除いて任意に変更することができる。
【０１４０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示したチャンネル情報設定部３２ａと、放送処理部３２ｂとを統合して構成することができる。
【０１４１】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１４２】
ところで、本発明はあらかじめ用意されたプログラムを映像放送装置１０の放送部３０としてのコンピュータで実行することによって実現するようにしてもよい。そこで、以下では、図２４を用いて、上記の実施例に示した映像放送装置１０と同様の機能を有する映像放送プログラムを実行するコンピュータを一例として説明する。図２４は、映像放送プログラムを実行するコンピュータを示す図である。
【０１４３】
同図に示すように、映像放送装置１０の放送部３０としてのコンピュータ１１０は、操作部１２１〜１２３、ＲＯＭ１３０、ＣＰＵ１４０、ＨＤＤ１５０、ＲＡＭ１６０、および放送波送信部１７０をバス１８０などで接続して構成される。
【０１４４】
ＲＯＭ１３０には、上記の実施例１に示した映像放送装置１０と同様の機能を発揮する映像放送プログラム、つまり、図２４に示すようにチャンネル情報設定プログラム１３０ａと、放送処理プログラム１３０ｂと、チャンネル番号通知プログラム１３０ｃとが、あらかじめ記憶されている。なお、これらのプログラム１３０ａ〜プログラム１３０ｃについては、図２に示した映像放送装置１０の各構成要素と同様、適宜統合または、分散してもよい。
【０１４５】
そして、ＣＰＵ１４０がこれらのプログラム１３０ａ〜プログラム１３０ｃをＲＯＭ１３０から読み出して実行することで、図２４に示すように、プログラム１３０ａ〜プログラム１３０ｃは、チャンネル情報設定プロセス１４０ａと、放送処理プロセス１４０ｂと、チャンネル番号通知プロセス１４０ｃとして機能するようになる。なお、プロセス１４０ａ〜プロセス１４０ｃは、図２に示した、チャンネル情報設定部３２ａと、放送処理部３２ｂと、チャンネル番号通知部３２ｃとにそれぞれ対応する。
【０１４６】
また、ＨＤＤ１５０には、図２４に示すように、ダイジェスト映像記憶部１５０ａと、チャンネル情報データテーブル１５０ｂとが設けられる。そして、ＣＰＵ１４０は、チャンネル情報データテーブル１５０ｂから、チャンネル情報データ１６０ａを読み出してＲＡＭ１６０に格納し、ＲＡＭ１６０に格納されたチャンネル情報データ１６０ａに基づいて処理を実行する。なお、チャンネル情報データ１６０ａは、図２に示したチャンネル情報記憶部３１ｂに対応する。
【０１４７】
なお、上記した各プログラム１３０ａ〜プログラム１３０ｃについては、必ずしも最初からＲＯＭ１３０に記憶させておく必要はなく、例えば、コンピュータ１１０に挿入されるフレキシブルディスク（ＦＤ）、ＣＤ−ＲＯＭ、ＤＶＤディスク、光磁気ディスク、ＩＣカードなどの「可搬用の物理媒体」、またはコンピュータ１１０の内外に備えられるＨＤＤなどの「固定用の物理媒体」、さらには公衆回線、インターネット、ＬＡＮ、ＷＡＮなどを介してコンピュータ１１０に接続される「他のコンピュータ（またはサーバ）」などに各プログラムを記憶させておき、コンピュータ１１０がこれから各プログラムを読み出して実行するようにしてもよい。
【０１４８】
なお、本実施例で説明した映像放送方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【図面の簡単な説明】
【０１４９】
【図１】実施例１に係る映像放送装置の概要および特徴を説明するための図である。
【図２】映像放送装置の構成を示すブロック図である。
【図３】出力部に表示出力される情報の一例を示した図である。
【図４】チャンネル情報記憶部に記憶される情報の一例を示した図である。
【図５】チャンネル情報設定部による処理を説明するための図である。
【図６】映像放送装置によるダイジェスト映像放送処理の流れを示すフローチャート図である。
【図７】映像放送装置によるチャンネル番号通知処理の流れを示すフローチャート図である。
【図８】実施例２に係る映像放送装置の構成を示すブロック図である。
【図９】実施例２に係る映像放送装置によるチャンネル番号通知処理の流れを示すフローチャート図である。
【図１０】実施例３に係る映像放送装置の構成を示すブロック図である。
【図１１】視聴回数記憶部に記憶される情報の一例を示した図である。
【図１２】実施例３に係るチャンネル情報設定部による処理を説明するための図である。
【図１３】実施例３に係る映像放送装置によるチャンネル番号通知処理の流れを示すフローチャート図である。
【図１４】実施例３に係る映像放送装置によるダイジェスト映像放送処理の流れを示すフローチャート図である。
【図１５】実施例４に係る映像放送装置の構成を示すブロック図である。
【図１６】放送時刻記憶部に記憶される情報の一例を示した図である。
【図１７】視聴者ＩＤ記憶部に記憶される情報の一例を示した図である。
【図１８】実施例４に係る映像放送装置によるチャンネル番号通知処理の流れを示すフローチャート図である。
【図１９】実施例５に係る映像放送装置の構成を示すブロック図である。
【図２０】実施例５に係る携帯端末の構成を示すブロック図である。
【図２１】携帯端末の出力部に出力表示される情報の一例を示した図である。
【図２２】実施例５に係る映像放送装置による処理の流れを示すフローチャート図である。
【図２３】携帯端末による処理の流れを示すフローチャート図である。
【図２４】映像放送プログラムを実行するコンピュータを示す図である。
【符号の説明】
【０１５０】
１０  映像放送装置
２１〜２３  操作部
２１ａ〜２３ａ  入力部
２１ｂ〜２３ｂ  出力部
３０  放送部
３１  記憶部
３１ａ  ダイジェスト映像記憶部
３１ｂ  チャンネル情報記憶部
３１ｃ  準備時間記憶部
３１ｄ  視聴回数記憶部
３１ｅ  放送時刻記憶部
３１ｆ  視聴者ＩＤ記憶部
３２  処理部
３２ａ  チャンネル情報設定部
３２ｂ  放送処理部
３２ｃ  チャンネル番号通知部
３２ｄ  視聴回数計測部
３２ｅ  ダイジェスト映像特定部
３２ｆ  チャンネル情報送信部
３３  放送波送信部
４０  携帯端末
４１  入力部
４２  出力部
４３  アンテナ
４４  記憶部
４４ａ  チャンネル情報記憶部
４５  処理部
４５ａ  概要通知部
４５ｂ  ダイジェスト映像受信部
１１０  コンピュータ
１２１〜１２３  操作部
１３０  ＲＯＭ（Read Only Memory）
１３０ａ  チャンネル情報設定プログラム
１３０ｂ  放送処理プログラム
１３０ｃ  チャンネル番号通知プログラム
１４０  ＣＰＵ（Central Processing Unit）
１４０ａ  チャンネル情報設定プロセス
１４０ｂ  放送処理プロセス
１４０ｃ  チャンネル番号通知プロセス
１５０  ＨＤＤ（Hard disk drive）
１５０ａ  ダイジェスト映像記憶部
１５０ｂ  チャンネル情報データテーブル
１６０  ＲＡＭ（Random Access Memory）
１６０ａ  チャンネル情報データ
１７０  放送波送信部
１８０  バス
【図１】
0005088152.tif 000002
【図２】
0005088152.tif 000003
【図３】
0005088152.tif 000004
【図４】
0005088152.tif 000005
【図５】
0005088152.tif 000006
【図６】
0005088152.tif 000007
【図７】
0005088152.tif 000008
【図８】
0005088152.tif 000009
【図９】
0005088152.tif 000010
【図１０】
0005088152.tif 000011
【図１１】
0005088152.tif 000012
【図１２】
0005088152.tif 000013
【図１３】
0005088152.tif 000014
【図１４】
0005088152.tif 000015
【図１５】
0005088152.tif 000016
【図１６】
0005088152.tif 000017
【図１７】
0005088152.tif 000018
【図１８】
0005088152.tif 000019
【図１９】
0005088152.tif 000020
【図２０】
0005088152.tif 000021
【図２１】
0005088152.tif 000022
【図２２】
0005088152.tif 000023
【図２３】
0005088152.tif 000024
【図２４】
0005088152.tif 000025